(57)【要約】【課題】セキュリティーを向上させつつ、かつ誤作動のないピッキング検知システムを併せ持つ開錠装置及びこれを用いた防犯システムを提供することを目的とする。【解決手段】ＩＣチップが内蔵された鍵１０と、鍵１０の操作により機械的に開錠される第１の錠と、第１の錠が開錠されたときＩＣチップにアクセスする制御手段７と、制御手段７からの制御信号により開錠可能な第２の錠とを具備し、制御手段７は、ＩＣチップに記憶されている暗証コードが予め保持する暗証コードと一致した場合に第２の錠を開錠させる信号を発信し、ＩＣチップ１０とアクセス不能或いはアクセス可能であるが暗証コードが一致しなかった場合に外部装置を制御する制御信号を発信することを特徴とする開錠装置。【選択図】　図２
2004092279.tif 000002
【特許請求の範囲】
【請求項１】
ＩＣチップが内蔵された鍵と、
前記鍵の操作により機械的に開錠される第１の錠と、
前記第１の錠が開錠されたとき前記ＩＣチップにアクセスする制御手段と、
前記制御手段からの制御信号により開錠可能な第２の錠とを具備し、
前記制御手段は、前記ＩＣチップに記憶されている暗証コードが正しい暗証コードと一致した場合に前記第２の錠を開錠させる信号を発信し、前記ＩＣチップとアクセス不能或いはアクセス可能であるが暗証コードが一致しなかった場合に外部装置を制御する制御信号を発信することを特徴とする開錠装置。
【請求項２】
前記鍵は、刻み或いはディンプルが形成された鍵部、前記鍵部の先端、若しくは前記刻み或いはディンプルの側面に形成された前記ＩＣチップのインターフェース及び前記鍵部と一体的に形成された保持部とを有し、前記第１の錠は、内部に一定のピン編成及び入力部を有するシリンダーであり、前記シリンダーの前記ピン編成と前記鍵の刻み或いはディンプルが一致した場合に前記保持部を回転させることで前記第１の錠が開錠されると共に前記インターフェースと前記入力部が対向配置されカップリングされることを特徴とする請求項１記載の開錠装置。
【請求項３】
前記第１の錠のシリンダーは、前記ピン編成が形成された第１のシリンダーと前記入力部が形成された第２のシリンダーが対向するようにして形成されており、前記第１のシリンダーの回転運動に連動して直線運動する第１の板と、前記第２のシリンダーの回転運動に連動して直線運動する第２の板と、前記第１の板と連動してオン・オフする第１のボタンと、前記第２の板と連動してオン・オフする第２のボタンとを具備し、前記第１のボタン及び前記第２のボタンの状態が等しいとき前記第１の錠が開錠することを特徴とする請求項２記載の開錠装置。
【請求項４】
前記暗証コードを暗号鍵とし、暗号化された暗証コードを記憶する記憶装置を具備し、前記外部装置が前記記憶装置へのアクセスを管理することを特徴とする請求項１記載の開錠装置。
【請求項５】
前記外部装置は、備え付けの防犯カメラ或いは警報装置或いは予め指定している電話番号に電話をかける装置或いはインターネットを通じて警察或いは警備会社に通報する装置であることを特徴とする請求項１記載の開錠装置を用いた防犯システム。
【発明の詳細な説明】
【０００１】
【発明の属する技術分野】
本発明は、開錠装置及びこれを用いた防犯システムに関する。
【０００２】
【従来の技術】
一般の住居に普及している機械式の鍵は容易にピッキングされる危険があり、社会問題となっている。また、暗証番号入力方式や指紋照合方式等の電子式の鍵が普及しているが、防犯性（セキュリティー）を更に高めるには、機械式の鍵と同時に用いるハイブリッドロックシステムが理想的である（非特許文献１参照）。
【０００３】
このハイブリッドロックシステムは、ＩＣチップが内蔵されたハイブリッドキーをシリンダーに差し込み、ＩＣチップに書き込まれているコードが、シリンダーに登録されているコードに一致しない場合、たとえキーの刻みがシリンダーのピン編成に一致してもシリンダーは回転しない。したがってピッキングのように特殊工具を用いてシリンダーのピン編成を一致させて開錠する行為に対して、電子式の鍵を複合させることによってセキュリティーを向上させるものである。
【０００４】
しかしながらこの方法では、実際のピッキング行為があった場合開錠させないという初期の目的は達成されるが、ピッキング被害にあったかどうか判断されず、侵入者の特定、撃退といった更なる防犯行為については達成されない。
【０００５】
ピッキング行為を認識する方法として、ピッキング時に生じる特有の振動を検知してピッキングと判断し、大音量のサイレンで警報を発したり、指定された電話番号に通知したりするものがある（ピッキング・アラーム　ＨＡ−１１　株式会社　岩田エレクトリック製　非特許文献２参照）。
【０００６】
しかしながらこの方法では、ピッキング行為により生じる振動を検知しているので、盗作された合鍵には対応できない。その上実際にはピッキング行為によらない振動でも作動したり、ピッキングがあっても作動しない等誤作動の問題がある。
【０００７】
【非特許文献１】
広告、［平成１４年７月１日検索］、インターネット＜ＵＲＬ：ｈｔｔｐ：／／ｗｗｗ．ｅ−ｎｅｔ．ｏｒ．ｊｐ／ｕｓｅｒ／ｂｌｕｅ／ｋａｂａ％２０ｅｌｏｓｔａｒ２．ｈｔｍ＞
【０００８】
【非特許文献２】
製品紹介［平成１４年７月９日検索］、インターネット＜ＵＲＬ：ｈｔｔｐ：／／ｗｗｗ．ｉｗａｔａ−ｅｌｅｃ．ｃｏｍ／ｐｒｏｄｕｃｔ／ｓｐｅｃ０１．ｈｔｍｌ＃ｈａ１１＞
【０００９】
【発明が解決しようとする課題】
上述したように従来のハイブリッドキーではセキュリティーは向上するが、侵入者の特定或いは撃退といった更なる防犯を行うことはできない。また、従来のピッキング・アラームでは盗作された合鍵には対応できないし、ピッキング行為によらない振動でも作動する場合があるという問題がある。
【００１０】
本発明は、以上のような状況を鑑みてなされたもので、セキュリティーを向上させつつ、かつ誤作動のないピッキング検知システムを併せ持つ開錠装置及びこれを用いた防犯システムを提供することを目的とする。
【００１１】
【課題を解決するための手段】
上記目的を達成するために、本発明は、ＩＣチップが内蔵された鍵と、
前記鍵の操作により機械的に開錠される第１の錠と、
前記第１の錠が開錠されたとき前記ＩＣチップにアクセスする制御手段と、
前記制御手段からの制御信号により開錠可能な第２の錠とを具備し、
前記制御手段は、前記ＩＣチップに記憶されている暗証コードが正しい暗証コードと一致した場合に前記第２の錠を開錠させる信号を発信し、前記ＩＣチップとアクセス不能或いはアクセス可能であるが暗証コードが一致しなかった場合に外部装置を制御する制御信号を発信することを特徴とする開錠装置を提供する。
【００１２】
このとき、前記鍵は、刻み或いはディンプルが形成された鍵部、前記鍵部の先端、若しくは前記刻み或いはディンプル側面に形成された前記ＩＣチップのインターフェース及び前記鍵部と一体的に形成された保持部とを有し、前記第１の錠は、内部に一定のピン編成及び入力部を有するシリンダーであり、前記シリンダーの前記ピン編成と前記鍵の刻み或いはディンプルが一致した場合に前記保持部を回転させることで前記第１の錠が開錠されると共に前記インターフェースと前記入力部が対向配置されカップリングされることが好ましい。
【００１３】
また、本発明は、前記第１の錠のシリンダーは、前記ピン編成が形成された第１のシリンダーと前記入力部が形成された第２のシリンダーが対向するようにして形成されており、前記第１のシリンダーの回転運動に連動して直線運動する第１の板と、前記第２のシリンダーの回転運動に連動して直線運動する第２の板と、前記第１の板と連動してオン・オフする第１のボタンと、前記第２の板と連動してオン・オフする第２のボタンとを具備し、前記第１のボタン及び前記第２のボタンの状態が等しいときは前記第１の錠が開錠することが好ましい。
【００１４】
また、前記暗証コードを暗号鍵とし、暗号化された暗証コードを記憶する記憶装置を具備し、前記外部装置が前記記憶装置へのアクセスを管理することが好ましい。
【００１５】
また、本発明は、前記外部装置は、備え付けの防犯カメラ或いは警報装置或いは予め指定している電話番号に電話をかける装置或いはインターネットを通じて警察或いは警備会社に通報する装置であることを特徴とする前記開錠装置を用いた防犯システムを提供する。
【００１６】
【発明の実施の形態】
以下、図面を用いて本発明の開錠装置及びこれを用いた防犯システムについて詳細に説明する。なお、本発明は、これらの実施形態に限定されるものではなく種々選択して用いることができる。
【００１７】
（実施形態１）
図１は、本発明の鍵の構造を示す図である。ここではディンプル式の鍵を示し、鍵の先端にＩＣチップを埋め込んだものを示す。
【００１８】
図１に示すように、この鍵１０は、ディンプル５が形成された鍵部１と、この鍵部１に一体形成された保持部２を具備している。鍵部１の先端にはＩＣチップ６が貼り付けられており、このＩＣチップ６は、領域３及び領域４に分けられている。
【００１９】
ＩＣチップ６の領域３には暗証コードＡが記憶されており、領域４には暗証コードＢが記憶されている。ここでＩＣチップ６を二つの領域にする代わりに、暗証コードＡを記憶したＩＣチップと暗証コードＢを記憶したＩＣチップを並べて、鍵部１の先端に貼り付けておいても良い。
【００２０】
図２は、図１に示した鍵１０を、シリンダー１６の鍵穴に差し込んだときの様子を示す図面である。
【００２１】
図２（ａ）に示すように、シリンダー１６の鍵穴の奥には、センサー８及び９が形成されている。このセンサー８及び９は、鍵１０の先端に貼り付けたＩＣチップを読み取るためのものである。ここで鍵１０と鍵穴は差し込んだ状態での上と下を一意に決定できるような形状になっている。通常のシリンダーキーでは鍵の長軸方向に伸びた中央のみぞがそのまま使用できるが、ディンプルキーの場合、新たにそのような仕掛けを作る必要がある。たとえば、図３に示すように、ディンプルキー１０の先端の形状を上下方向が一意的に決定されるためのガイド部１１を設けることで実現できる。
【００２２】
図２（ａ）に示すように、鍵穴の奥の上部には、暗証コードＢのみを読み取るセンサー８を配置し、下部には暗証コードＡのみを読み取るセンサー９を設置しておく。こうすることでシリンダー１６の鍵穴に鍵１０を差し込んだだけでは、暗証コードＢのみを読み取るセンサー８には暗証コードＡを記憶した領域３が対向し、暗証コードＡのみを読み取るセンサー９には暗証コードＢを記憶した領域４が対向するので、それぞれ暗証コードを読み取ることが出来ない。
【００２３】
次に、図２（ｂ）に示すように、鍵１０を回転させて機械的に第１の錠を開錠した状態になると、暗証コードＢのみを読み取るセンサー８には暗証コードＢを記憶した領域４が対向し、暗証コードＡのみを読み取るセンサー９には暗証コードＡを記憶した領域３が対向するので、それぞれ暗証コードを読み取ることが出来る。
【００２４】
センサー８、９は、ＣＰＵ等の制御手段７と接続されており、制御手段７は鍵１０を回して第１の錠が開錠された時、初めてＩＣチップ６とカップリングすることができる。こうして制御手段７は、ＩＣチップ６に記憶されている暗証コードが予め保持する暗証コードと一致した場合に電子式の第２の錠を開錠させる信号を発信して第２の錠を開錠する。センサー８、９としては電極、受光発光素子等であればよい。ここでは領域を二つに分けてそれぞれがセンサー８、９に対応しなければカップリングしないようにしたが、領域、センサーをひとつずつにして鍵挿入時は互い違いの位置に配置され、回転された時に対向する位置に配置するようにしてもよい。
【００２５】
暗証コードの代わりに暗号鍵をＩＣチップ６に記憶した場合、鍵１０を回転した時、予め制御装置７に保持しておいた暗号化された暗証コードが解読され、予め別途記憶制御装置７に記憶されていた暗証コードと照合してもよい。このとき、ひとつの暗号鍵が領域３と領域４の二つの領域に分割して記憶されることが好ましい。
【００２６】
このとき図４に示すように、制御手段７がインターネットに接続され、センサー８、９が読み取った暗号鍵Ａと暗号鍵Ｂを使って解読した暗証コードを、インターネット１２を通じて警備会社１３等の暗証管理会社で管理する暗証コードに照合してもよい。
【００２７】
暗号化された暗証コードをＩＣチップ６に記憶した場合、暗号鍵は制御装置７に保持したり、図４に示すようにインターネット１２を介して接続する警備会社１３が保守することができる。
【００２８】
いずれの場合も制御手段７にて暗証コードＡ及び暗証コードＢを解き、得られた合言葉を、インターネット１２を通じて警備会社１３に送信する。この合言葉は、警備会社１３のサーバーに蓄積されている暗号データベース１４に記録された暗証コードと照合され、照合内容が一致すれば、警備会社１３から照合された情報が制御手段７に送信され、制御手段７は電子式の第２の錠１５を開錠させる信号を発信して第２の錠１５を開錠する。
【００２９】
図４に示すように、機械式の第１の錠１８をドア１７のドアノブ近くに設置し、電子式の第２の錠をドア１７の上下に設置しておけば、バール等でドア１７を破壊することが難しくなる。
【００３０】
ここでＩＣチップ６が内蔵されていない鍵を不正にコピーして或いはピッキングのように特殊工具を用いて機械的に第１の錠１８を開錠させたとする。このとき当然にセンサー８、９は暗証コードを照合できないので、制御手段７はこれを感知して照合できなかった信号を警備会社に通報する。
【００３１】
警備会社は、図５で示すように、防犯カメラ装置１９に作動命令を発信し、鍵穴の前にいる人物の画像を警備会社のサーバーに記録することが出来る。
【００３２】
また、ＩＣチップ内蔵の鍵で第１の錠１８を開錠した場合でも、制御手段７で暗号化された暗証コードが解読できない場合、警備会社に信号を発信したり、防犯カメラ装置を作動したり、警報を鳴らしたり等の防犯処理をすればよい。また照合する暗証コードが警備会社で一致しない場合も、このように処理をすればよい。
【００３３】
このような防犯処理は、ホームサーバーを用いれば警備会社を用いなくてもよい。また、警察が直接管理することも可能であるが、企業などでは社内で管理することもできる。
【００３４】
このように本発明の開錠装置では、第１の錠が開錠された状態で、正常な開錠であるかどうか判断できるので従来のピッキング・アラームのように、盗作された合鍵や誤作動の問題がなく確実に次の防犯装置を作動させることができる。また、第１の錠が不正に開錠された後でも電子式の第２の錠が施錠された状態であるので不正侵入を防止することが可能となる。
【００３５】
図８は、室内側から施錠した時もハイブリッドになる仕組みを説明するための図である。
【００３６】
図８に示すように、第１の錠のシリンダーは鍵穴１００が形成された室外側のシリンダー１０４とセンサー１０６及びつまみ１０１が形成された室内側のシリンダー１０５に分割されている。それぞれ室外側のシリンダー１０４及び室内側のシリンダー１０５は、歯車状態になっており、鍵やつまみ１０１の操作で回転するようになっている。
【００３７】
これらシリンダー１０４、１０５の回転運動は、歯車１０７、１０８を介して鋸歯のついた板１０２、１０３で水平方向の直線運動に変換される。
【００３８】
図９は、図８の状態を板１０３、１０２の上部から見た様子である。
【００３９】
図９に示すように、これら２枚の板１０３、１０２は、鍵やつまみ１０１を１８０°回転させることによってそれぞれボタンＡ、ボタンＢと接触状態になったり、非接触状態になったりするようにする。
【００４０】
同時に、つまみ１０１を１８０°回転させることでセンサー１０６の上下関係も反転させる。こうすることで内側から施錠した時もハイブリッドになる。
【００４１】
図１０に、室内側から施錠した時にハイブリッド施錠となる仕組みについて論理回路を組む場合のボタンＡ、Ｂの状態の組み合わせを示す。
【００４２】
図１０に示すように、ボタンＡとボタンＢの状態が００や１１と等しい場合に第１の錠が開錠状態となり、０１や１０と等しくない場合に施錠状態になるようにすればよい。
【００４３】
図１１は、ＩＣチップを２枚に分けてディンプルの側面に設置した場合を示している。
【００４４】
図１１に示すように、センサーＡ、Ｂもシリンダーの側壁に分割して設置する。この場合、ドアに用いると室内からの施錠がハイブリッドにならない欠点があるが、自動車のエンジンをかける鍵等に使うには十分である。
【００４５】
また、アパートや賃貸マンション等に用いられるように、鍵に有効期限をつけたい場合、鍵の先端に貼り付けたＩＣチップの暗証コードＡと暗証コードＢのうち、少なくとも一つに有効期限を設ければよい。
【００４６】
図５は、ＩＣチップ６の領域３、４のうち一つだけ有効期限付き暗証コードを用いた例を示している。
【００４７】
この場合、住人がアパートを引き払った後同じ鍵を持っていてこれを用いてもとの部屋の鍵を開錠する。このときこの鍵は期限切れの暗証コードを持っているので第２の鍵は開錠しない。しかも無期限暗証コードを所持していたことが家主の記録に残っているのですぐに開錠を試みた鍵を特定できる。
【００４８】
また、一つの暗証コードが使用不能になっているため、契約期日を過ぎれば開錠することができなくなる。
【００４９】
続いて、このハイブリッドロックシステムを用いたもう一つのビジネスモデルを例示する。
【００５０】
図６に示すように、本発明のハイブリッド鍵用の鍵穴を設置したパーソナルコンピュータ端末とブロードバンドインターネット上のデータベースとつないでおく。
【００５１】
鍵穴に鍵を差し込み、回転させると電源が入る。このとき、鍵穴奥のセンサーが起動して鍵先端のＩＣチップから暗号鍵を読み取り、データベースを管理しているサーバーからブロードバンドインターネットを通じて取得した暗号を解き、暗号を解いて得た暗証番号をサーバーに返送する。サーバー側で暗証番号を照合できれば、鍵を差し込んだ人物が所有するデータベース上の領域をパーソナルコンピュータ端末のハードディスクとして使用する。
【００５２】
こうすることで、本発明のハイブリッド鍵を用いれば、オフィスにあるどのパーソナルコンピュータも鍵を差込回転させるだけで、通常の電源を入れるのとほとんど同じ手間で、自分のパーソナルコンピュータとして使用することができる。
【００５３】
また、このようなパーソナルコンピュータ端末をインターネットカフェ、ホテル、飛行機、空港、駅などに設置しておけば、モバイル端末を持ち歩かなくても、どこでも普段から使用しているパーソナルコンピュータが使用できるようになる。
【００５４】
インターネットカフェやオフィスでこのようなシステムを利用する場合、トイレなどで席を立つ場合には、図７に示すように、パスワードの掛かったスクリーンセーバーを立ち上げるようにする。このスクリーンセーバーのパスワードは、機械式鍵と連動しており、パスワードを入力しなければ鍵を回転して抜き去ることが出来ないようにしておく必要がある。
【００５５】
このようにして鍵一本で電子ロックと機械ロックを同時に開錠できるハイブリッドキーを実現できる。
【００５６】
【発明の効果】
このように本発明は、セキュリティーを向上させつつ、かつ誤作動のないピッキング検知システムを併せ持つ開錠装置及びこれを用いた防犯システムを提供することが可能となる。
【図面の簡単な説明】
【図１】本発明の開錠装置に用いるハイブリッドキーの模式図。
【図２】本発明の開錠装置における第１の錠を開錠する様子を示す模式図であり（ａ）は開錠前、（ｂ）は開錠後の状態を示す。
【図３】本発明の開錠装置に用いるハイブリッドキーの斜視図と鍵穴を示す図。
【図４】本発明の開錠装置の概念図。
【図５】本発明の開錠装置の概念図。
【図６】本発明のハイブリッドキーを用いたパーソナルコンピュータのセキュリティーシステムの概念図。
【図７】本発明のハイブリッドキーを用いたパーソナルコンピュータのセキュリティーシステムの概念図。
【図８】室内から施錠した時もハイブリッドロックシステムとなる仕組みを説明する図。
【図９】室内から施錠した時もハイブリッドロックシステムとなる仕組みを説明する図。
【図１０】室内から施錠した時もハイブリッドロックシステムとなる仕組みを説明する図。
【図１１】ディンプルの側面にＩＣチップを設置した場合を説明する図。
【符号の説明】
１・・・鍵部
２・・・保持部
３・・・暗証コードＡを記憶する領域
４・・・暗証コードＢを記憶する領域
５・・・ディンプル
６・・・ＩＣチップ
７・・・制御手段
８・・・暗証コードＢのみを読み取るセンサー
９・・・暗証コードＡのみを読み取るセンサー
１０・・・ハイブリッドキー
１１・・・ガイド部
１２・・・インターネット
１３・・・警備会社
１４・・・暗号データベース
１５・・・第２の錠
１６・・・シリンダー
１７・・・ドア
１８・・・第１の錠
１９・・・防犯カメラ
１００・・・鍵穴
１０１・・・つまみ
１０２・・・のこぎり歯のついた板
１０３・・・のこぎり歯のついた板
１０４・・・歯車のついたシリンダー（室外側）
１０５・・・歯車のついたシリンダー（室内側）
１０６・・・センサー
１０７・・・歯車
１０８・・・歯車
１０９・・・ボタンＡ
１１０・・・ボタンＢ
１２０・・・論理回路
【図１】
2004092279.tif 000003
【図２】
2004092279.tif 000004
【図３】
2004092279.tif 000005
【図４】
2004092279.tif 000006
【図５】
2004092279.tif 000007
【図６】
2004092279.tif 000008
【図７】
2004092279.tif 000009
【図８】
2004092279.tif 000010
【図９】
2004092279.tif 000011
【図１０】
2004092279.tif 000012
【図１１】
2004092279.tif 000013